(57)【要約】【課題】本発明は、従来にない画期的な作用効果を発揮するドアノブ構造並びにドアを提供することを目的とする。【解決手段】ドア１に設けられるドアノブ構造であって、ドア１の表面所定位置に基端部が枢着されて、伏し状態から起き状態となるように起伏回動自在となるドアノブ体２を設け、このドアノブ体２には起き方向に回動付勢する回動付勢機構３が設けられており、この回動付勢機構３に抗してドアノブ体２を伏し方向に回動させてドア１に対して伏し状態とした際、ドアノブ体２に係止して伏し状態を保持する係止保持機構４を設け、この係止保持機構４には係止状態の解除を遠隔操作し得る係止解除操作部５が設けられたものである。【選択図】        図１
2005023597.tif 000002
【特許請求の範囲】
【請求項１】
ドアに設けられるドアノブ構造であって、ドアの表面所定位置に基端部が枢着されて、伏し状態から起き状態となるように起伏回動自在となるドアノブ体を設け、このドアノブ体には起き方向に回動付勢する回動付勢機構が設けられており、この回動付勢機構に抗してドアノブ体を伏し方向に回動させてドアに対して伏し状態とした際、ドアノブ体に係止して伏し状態を保持する係止保持機構を設け、この係止保持機構には係止状態の解除を遠隔操作し得る係止解除操作部が設けられていることを特徴とするドアノブ構造。
【請求項２】
前記ドアに設けられ、該ドアに対して伏し状態としたドアノブ体の所定位置に係脱自在に係止し得る係止部材を設けて前記係止保持機構とし、この係止部材には所定長の長尺部材が連設されており、この長尺部材を引き操作することでドアノブ体に対する係止部材の係止状態の解除を遠隔操作し得るように設けて前記係止解除操作部としたことを特徴とする請求項１記載のドアノブ構造。
【請求項３】
前記ドアノブ体の先端部には把持部が設けられていることを特徴とする請求項１，２のいずれか１項に記載のドアノブ構造。
【請求項４】
前記把持部はドアノブ体の長さ方向と直交する方向に回動自在に設けられていることを特徴とする請求項３記載のドアノブ構造。
【請求項５】
前記ドアノブ体の側面所定位置には突出部が設けられており、この突出部は、ドアノブ体をドアに対して伏し状態とした際、ドアの開閉に際して把持し得る把持部として構成されていることを特徴とする請求項１〜４のいずれか１項に記載のドアノブ構造。
【請求項６】
請求項１〜５のいずれか１項に記載のドアノブ構造を具備することを特徴とするドア。
【発明の詳細な説明】
【０００１】
【発明の属する技術分野】
本発明は、ドアノブ構造並びにドアに関するものである。
【０００２】
【従来の技術及び発明が解決しようとする課題】
従来から、例えば病院や老人ホームなどの施設の通路や部屋に配設されるドアについて、例えばスライドレールや敷居などを段差の無い構造（所謂バリアフリー構造）としたドアが提案されるなど種々の工夫が施されている。
【０００３】
ところで、例えば車椅子に乗った人や身体に障害のある人がこのドアを開けようとする場合、このドアが、通路の長さ方向（進退方向）に擺動させて開閉するタイプのドアであった場合は、一旦ドアに近づいて下がりながら引き動作を行わなければならず、これは車椅子に乗った人や身体に障害のある人にとって非常に煩わしい作業であり、精神的にも身体的にもその負担は多大である。スライドタイプのドアであってもやはりドアに近づいてからドアノブを掴んで下がりながら引き動作を行わなければならない。
【０００４】
本出願人は、上述した問題点に着目し、極めて商品価値の高い画期的なドアノブ構造並びにドアを開発した。
【０００５】
【課題を解決するための手段】
添付図面を参照して本発明の要旨を説明する。
【０００６】
ドア１に設けられるドアノブ構造であって、ドア１の表面所定位置に基端部が枢着されて、伏し状態から起き状態となるように起伏回動自在となるドアノブ体２を設け、このドアノブ体２には起き方向に回動付勢する回動付勢機構３が設けられており、この回動付勢機構３に抗してドアノブ体２を伏し方向に回動させてドア１に対して伏し状態とした際、ドアノブ体２に係止して伏し状態を保持する係止保持機構４を設け、この係止保持機構４には係止状態の解除を遠隔操作し得る係止解除操作部５が設けられていることを特徴とするドアノブ構造に係るものである。
【０００７】
また、前記ドア１に設けられ、該ドア１に対して伏し状態としたドアノブ体２の所定位置に係脱自在に係止し得る係止部材６を設けて前記係止保持機構４とし、この係止部材６には所定長の長尺部材７が連設されており、この長尺部材７を引き操作することでドアノブ体２に対する係止部材６の係止状態の解除を遠隔操作し得るように設けて前記係止解除操作部５としたことを特徴とする請求項１記載のドアノブ構造に係るものである。
【０００８】
また、前記ドアノブ体２の先端部には把持部８が設けられていることを特徴とする請求項１，２のいずれか１項に記載のドアノブ構造に係るものである。
【０００９】
また、前記把持部８はドアノブ体２の長さ方向と直交する方向に回動自在に設けられていることを特徴とする請求項３記載のドアノブ構造に係るものである。
【００１０】
また、前記ドアノブ体２の側面所定位置には突出部９が設けられており、この突出部９は、ドアノブ体２をドア１に対して伏し状態とした際、ドア１の開閉に際して把持し得る把持部９として構成されていることを特徴とする請求項１〜４のいずれか１項に記載のドアノブ構造に係るものである。
【００１１】
また、請求項１〜５のいずれか１項に記載のドアノブ構造を具備することを特徴とするドアに係るものである。
【００１２】
【発明の実施の形態】
好適と考える本発明の実施の形態（発明をどのように実施するか）を、図面に基づいてその作用効果を示して簡単に説明する。
【００１３】
本発明は、例えばドア１を開放する際、係止解除操作部５を操作すると、ドア１に対して伏し状態のドアノブ体２は回動付勢機構３の回動付勢により回動して起き状態となる。
【００１４】
この起き状態となったドアノブ体２を掴んでドア１を開放することができる。
【００１５】
従って、例えばドア１から離れた位置で該ドア１の開閉が行えることになる為、前述したように例えば車椅子に乗った人や身体に障害のある人など、従来からドア１の開閉が厄介とされていた人にとって非常に便利であり、具体的には、例えばドア１を開放しようとする場合、従来であれば一旦ドア１に近づいて下がりながら開放操作を行わなければならなかったが、この点、本発明は、ドア１の開放に際してドア１から離れた位置で操作する構成故に前述した問題点が生じることは無く開放操作（及び閉塞操作）が良好に行えることになる。
【００１６】
【実施例】
本発明の具体的な実施例について図面に基づいて説明する。
【００１７】
本実施例は、ドア１に設けられるドアノブ構造であって、ドア１の表面所定位置に基端部が枢着されて、伏し状態から起き状態となるように起伏回動自在となるドアノブ体２を設け、このドアノブ体２には起き方向に回動付勢する回動付勢機構３が設けられており、この回動付勢機構３に抗してドアノブ体２を伏し方向に回動させてドア１に対して伏し状態とした際、ドアノブ体２に係止して伏し状態を保持する係止保持機構４を設け、この係止保持機構４には係止状態の解除を遠隔操作し得る係止解除操作部５が設けられている。
【００１８】
尚、本実施例ではこのドアノブ構造として、専用のドア１に取り付けた状態を図示しているが、普通のドアに対して後付けできる構造としても良いのは勿論である。
【００１９】
以下、本実施例に係る構成各部について詳細な説明をする。
【００２０】
具体的には、ドアノブ体２は、図１〜７に図示したように適宜な合成樹脂製の部材で構成されており、丸棒状の本体部２ａと、この本体部２ａの先端に連結される環状の把持部８とで構成されている。
【００２１】
このドアノブ体２の先端部に設けられる把持部８は、図２に図示したようにドアノブ体２の長さ方向と直交する方向に約８０度の範囲内で回動自在に設けられている。これは把持部８を把持して行う開閉操作が良好に行えるようにすることに貢献する。
【００２２】
また、把持部８の内面には後述する係止保持機構４に係る係止部材６が係止する係止凹部８ａが形成されている。
【００２３】
また、ドアノブ体２は、その基端部に板状の連結体１０が突設されており、この連結体１０を後述するドア１の表面所定位置に形成される凹部１１に嵌設される基部材１２の溝部１３に連結してドア１に取り付けられる。この基部材１２の溝部１３はカール部１３ａと、このカール部１３ａの先端部位に形成されるストレート部１３ｂとで構成されている。
【００２４】
この連結体１０は、適度な折り曲げ柔軟性を有する金属製の板材で構成されており、その途中部位に湾曲部１０ａが形成されることで所定の弾性を生じるように構成され、この連結体１０により、ドアノブ体２はドア１に対して伏し状態から起き状態へ起伏回動自在となり、ドア１に対して伏し状態としたドアノブ体２は起き状態となるように常時開放方向に回動付勢されている。この連結体１０が回動付勢機構３である。この連結体１０が連結されるドアノブ体２の基端部２ｂは適度な柔軟性を有する部材で構成されており、この点においても良好な回動付勢が作用することになる。
【００２５】
また、連結体１０は、その先端部が基部材１２の溝部１３のストレート部１３ｂでスライド移動し得るように構成されており、連結体１０の湾曲部１０ａが真っ直ぐになろうとすることでストレート部１３ｂに入り込むことになり、この際、ドアノブ体２はドア１の表面に対して傾斜した状態から直交状態となるまで回動付勢されることになる（図４参照）。
【００２６】
また、ドアノブ体２は、その本体部２ａの途中部位が折り曲げ形成されて側面所定位置に突出部９が設けられており、この突出部９は、ドアノブ体２をドア１に対して伏し状態とした際、ドア１の開閉に際して把持し得る把持部９として構成されている。
【００２７】
また、このドアノブ体２を回動付勢機構３の回動付勢に抗してドア１に対して伏し状態とした際、このドアノブ体２の所定位置に係止してこの伏し状態を保持する係止保持機構４が設けられている。
【００２８】
この係止保持機構４は、図６，７に図示したように後述するドア１の内部に係止部材６を配設して構成されており、この係止部材６は、傾動自在に枢着されており、この枢着部よりも先端部にはドアノブ体２の係止凹部８ａに係止する鉤状の係止部６ａが形成され、基端部には発条１４が連結されており、この発条１４により常時一方向に回動するように付設され、この回動付勢方向は、係止部６ａが係止凹部８ａに対して係止する方向である（所謂ラッチ構造である。）。
【００２９】
従って、ドア１に対して起き状態のドアノブ体２を回動付勢機構３に抗して回動させて伏し状態とすると、ドアノブ体２に設けた係止凹部８ａに係止保持機構４に係る係止部材６の係止部６ａが係止して、この伏し状態が発条１４の付勢によって堅固に保持されることになる。
【００３０】
また、この係止保持機構４には係止解除を遠隔操作し得る係止解除操作部５が設けられている。
【００３１】
この係止解除操作部５は、図６〜８に図示したように係止部材６の基端部に所定長の長尺部材７の先端部を連結し、この長尺部材７の基端側に設けたグリップ１５を引き動することで、発条１４に抗して係止部材６の係止部６ａを係止凹部８ａから係止が解除される方向に回動するように構成されている。
【００３２】
この長尺部材７は、線状部材（ワイヤー）であり、ドア１に形成される貫通孔１ａ及び壁面等に付設される配設用リング部材２２内を通過させてドア１に配設されるものであり、その先端部には引き動するためのグリップ１５が設けられている。
【００３３】
また、本実施例に係るドアノブ構造を具備するドア１は、図１，９〜１２に図示したように中折れ式のドア１が採用されている。
【００３４】
具体的には、この中折れ式のドア１は、二枚のドア板１Ａ，１Ｂの対向端部同志を蝶番１６を介して擺動自在に連結し、一方のドア板１Ｂの端部上下位置を設置開口部１７の一端部に枢着し、他方のドア板１Ａの側端上下位置を設置開口部１７の上下縁部に付設したレール部材１８にガイドされて移動するローラー部１９が設けられている。
【００３５】
従って、ドア１の中央部をくの字状に折るように作用させると、ドア１の基端部は擺動するとともにローラー部はスライド移動することになり、ドアは折り畳まれるようにして開放することになる。このドア構造は、図１０に図示したようにドアノブ体２手前に引き動作させて開放する際、ドア１が開放する人を避けるようにして移動することになり（図１０中の斜線部分がドア１が通過する範囲）、よって、ドア１を開放する人は下がりながら開放操作を行う必要がなくなり、前述したドアノブ構造を具備するドア１として非常に有効である。
【００３６】
また、ドア１は、その裏面中央位置にしてドア板１Ｂの端部に棒状の押し込み体２０が起伏自在に設けられており、この押し込み体２０は発条２１によって常時起き状態となるように付勢されている。
【００３７】
従って、ドア１を裏面方向から開放する際にこの押し込み体２０を押し込むことでドア１を開放することができる。ドア１を開放してドア板１Ａ，１Ｂ同士が折り畳まれた際、押し込み体２０は伏し状態となってこの折り畳みの邪魔にならないように回避することになる（図１２参照）。
【００３８】
以上の構成からなるドアノブ構造を具備したドア１の開放操作について説明する。
【００３９】
図１３に図示した閉塞状態のドア１を開放する際、係止解除操作部５に係るグリップ１５を引き操作すると、長尺部材７が引き動されて係止保持機構４に係る係止部材６のドアノブ体２に対する係止が解除され、回動付勢機構３によりドアノブ体２は起き状態となる（図１４参照）。
【００４０】
続いて、このドア１に対して起き状態となったドアノブ体２の把持部８を把持して引き動すると、ドア１は折り畳まれながら所定の範囲を移動して開放状態となる（図１５〜１７参照）。
【００４１】
続いて、ドアノブ体２の把持部８を離して、ドアノブ体２を伏し状態となるように回動付勢機構３の回動付勢に抗しながら回動させて係止保持機構４にドアノブ体２を係止保持させることになる（図１８，図１９参照）。
【００４２】
このようなドア１の開放操作の際にはドアノブ構造内では図２０及び図２１の動作が行われている。
【００４３】
本実施例は上述のように構成したから、例えばドア１から離れた位置で該ドア１の開閉が行えることになる為、前述したように例えば車椅子に乗った人や身体に障害のある人など、従来からドア１の開閉が厄介とされていた人にとって非常に便利であり、具体的には、例えばドア１を開放しようとする場合、従来であれば一旦ドア１に近づいて下がりながら開放操作を行わなければならなかったが、この点、本実施例は、ドア１の開放に際してドア１から離れた位置で操作する構成故に前述した問題点が生じることは無く開放操作（及び閉塞操作）が良好に行えることになる。
【００４４】
また、本実施例は、ドア１に設けられ、該ドア１に対して伏し状態としたドアノブ体２の所定位置に係脱自在に係止し得る係止部材６を設けて係止保持機構４とし、この係止部材６には所定長の長尺部材７が連設されており、この長尺部材７の端部を引き操作することでドアノブ体２に対する係止部材６の係止状態の解除を遠隔操作し得るように設けて前記係止解除操作部５としたから、ドア１に対して伏し状態としたドアノブ体２の伏し状態を係止保持機構４により確実に保持することができ、しかも、この係止保持機構４によるドアノブ体２に対する係止状態の解除を係止解除操作部５によって確実に遠隔操作し得ることになる。
【００４５】
また、本実施例は、ドアノブ体２の先端部には把持部８が設けられているから、ドアノブ体２の把持部８を把持して楽にドア１を開閉操作することができることになる。
【００４６】
また、本実施例は、把持部８はドアノブ体２の長さ方向と直交する方向に回動自在に設けられているから、この把持部８を把持してのドア１の開閉操作がより一層良好に行えることになる。即ち、ドア１の表面から突出するドアノブ体２の先端部を把持して引き動させることでドア１を開閉する場合、把持する部分には種々の方向（例えば捩れ方向）へ力が作用することになり、よって、この把持部８が回動しない構造であれば手首を捻るなどの操作が必要となるが、この点、本実施例は、把持部８は回動自在である故に、前述した不便は無く、楽にドア１を開閉することができる。
【００４７】
また、本実施例は、ドアノブ体２の側面所定位置には突出部９が設けられており、この突出部９は、ドアノブ体２をドア１に対して伏し状態とした際、ドア１の開閉に際して把持し得る把持部９として構成されているから、健常者などのドアノブ体２が伏し状態のままでも良いとする者であれば、把持部９をそのまま通常のドアノブとして使用することができる。
【００４８】
尚、本発明は、本実施例に限られるものではなく、各構成要件の具体的構成は適宜設計し得るものである。
【００４９】
【発明の効果】
本発明は上述のように構成したから、ドアの開閉が良好に行えることになるなど極めて商品価値の高い画期的なドアノブ構造となる。
【００５０】
また、請求項２記載の発明においては、ドアに対して伏し状態としたドアノブ体の伏し状態を係止保持機構により確実に保持することができ、しかも、この係止保持機構によるドアノブ体に対する係止状態の解除を係止解除操作部によって確実に遠隔操作し得ることになるなど極めて商品価値の高い画期的なドアノブ構造となる。
【００５１】
また、請求項３記載の発明においては、ドアノブ体の把持部を把持して楽にドアを開閉操作することができることになるなど極めて商品価値の高い画期的なドアノブ構造となる。
【００５２】
また、請求項４記載の発明においては、把持部がドアノブ体の長さ方向と直交する方向に回動自在に設けられている為、この把持部を把持してのドアの開閉操作がより一層良好に行えることになるなど極めて商品価値の高い画期的なドアノブ構造となる。
【００５３】
また、請求項５記載の発明においては、ドアノブ体をドアに対して伏し状態としたままでも把持部を把持してドアの開閉操作が良好に行えることになるなど極めて商品価値の高い画期的なドアノブ構造となる。
【００５４】
また、請求項６記載の発明においては、極めて商品価値の高い画期的なドアとなる。
【図面の簡単な説明】
【図１】本実施例の設置状態説明図である。
【図２】本実施例に係る要部の動作説明図である。
【図３】本実施例に係る要部の説明断面図である。
【図４】本実施例に係る要部の説明断面図である。
【図５】本実施例に係る要部の説明断面図である。
【図６】本実施例に係る要部の説明断面図である。
【図７】本実施例に係る要部の正面図である。
【図８】本実施例に係る要部の斜視図である。
【図９】本実施例に係るドアの説明図である。
【図１０】本実施例に係るドアの動作説明図である。
【図１１】本実施例に係る要部の説明図である。
【図１２】本実施例に係る要部の説明図である。
【図１３】本実施例の使用状態説明図である。
【図１４】本実施例の使用状態説明図である。
【図１５】本実施例の使用状態説明図である。
【図１６】本実施例の使用状態説明図である。
【図１７】本実施例の使用状態説明図である。
【図１８】本実施例の使用状態説明図である。
【図１９】本実施例の使用状態説明図である。
【図２０】本実施例に係る要部の概略動作説明図である。
【図２１】本実施例に係る要部の概略動作説明図である。
【符号の説明】
１  ドア
２  ドアノブ体
３  回動付勢機構
４  係止保持機構
５  係止解除操作部
６  係止部材
７  長尺部材
８  把持部
９  突出部・把持部
【図１】
2005023597.tif 000003
【図２】
2005023597.tif 000004
【図３】
2005023597.tif 000005
【図４】
2005023597.tif 000006
【図５】
2005023597.tif 000007
【図６】
2005023597.tif 000008
【図７】
2005023597.tif 000009
【図８】
2005023597.tif 000010
【図９】
2005023597.tif 000011
【図１０】
2005023597.tif 000012
【図１１】
2005023597.tif 000013
【図１２】
2005023597.tif 000014
【図１３】
2005023597.tif 000015
【図１４】
2005023597.tif 000016
【図１５】
2005023597.tif 000017
【図１６】
2005023597.tif 000018
【図１７】
2005023597.tif 000019
【図１８】
2005023597.tif 000020
【図１９】
2005023597.tif 000021
【図２０】
2005023597.tif 000022
【図２１】
2005023597.tif 000023